(57)【要約】  ノイズを広範囲の音域で低減可能なアクティブノイズキャンセル型ヘッドホンを提供する。  イヤカップ（２Ａ）、（２Ｂ）に第１マイク（２３）及び第２マイク（２４）が設けられていることで、ノイズの低音域の成分を集音してキャンセルすることができる。さらに、内部空間（Ｓ１）が空気室（Ｓ２）を介して外部に連通されていることで、外部から内部空間（Ｓ１）までノイズが侵入する際に、ノイズの中高音域の成分が特に減衰しやすく、ノイズの中高音域の成分を低減することができる。
2016084132.tif 000002
【特許請求の範囲】
【請求項１】
マイクと、イヤカップと、を備え、
前記イヤカップは、スピーカユニットと、前記スピーカユニットが位置する内部空間と、空気室と、を備え、
前記内部空間は、前記空気室を介して外部に連通することを特徴とするアクティブノイズキャンセル型ヘッドホン。
【請求項２】
前記マイクは、前記スピーカユニットの音放射側からの音波を集音可能であることを特徴とする請求項１に記載のアクティブノイズキャンセル型ヘッドホン。
【請求項３】
前記マイクは前記スピーカユニットの音放射側からの音波を集音可能な第１マイクであり、
外部の音波を集音可能な第２マイクを備えることを特徴とする請求項１に記載のアクティブノイズキャンセル型ヘッドホン。
【請求項４】
前記イヤカップには、前記内部空間と前記空気室とを連通する内孔と、前記空気室と外部とを連通する外孔と、が形成され、
前記内孔と前記外孔とは、互いに対向しない位置に配置されていることを特徴とする請求項１に記載のアクティブノイズキャンセル型ヘッドホン。
【請求項５】
前記外孔には、当該外孔よりも開口寸法の小さい複数の小孔が形成された部材が設けられていることを特徴とする請求項４に記載のアクティブノイズキャンセル型ヘッドホン。
【請求項６】
前記第２マイクは、前記イヤカップの内側に収容され、
前記イヤカップには、前記第２マイクが外部の音波を集音するための第２マイク孔が形成され、
前記空気室と外部とを連通する外孔の向きと、前記第２マイク孔の向きと、が成す角度は、９０°以上かつ１８０°以下であることを特徴とする請求項３に記載のアクティブノイズキャンセル型ヘッドホン。
【請求項７】
前記イヤカップのうち前記内部空間を囲む壁部には、通過する空気を制動する制動部材が設けられていることを特徴とする請求項１に記載のアクティブノイズキャンセル型ヘッドホン。
【請求項８】
前記イヤカップには、前記外孔を第１外孔として、前記空気室と外部とを連通する第２外孔がさらに形成され、
前記第２マイク孔は、前記第１外孔と前記第２外孔との間に配置されていることを特徴とする請求項６に記載のアクティブノイズキャンセル型ヘッドホン。
【請求項９】
前記イヤカップには、前記空気室を第１空気室として、前記内部空間を外部に連通する第２空気室がさらに形成されるとともに、当該第２空気室を外部と連通する外孔が形成され、
前記第２マイク孔は、前記第１空気室の外孔と前記第２空気室の外孔との間に配置されていることを特徴とする請求項６に記載のアクティブノイズキャンセル型ヘッドホン。
【発明の詳細な説明】
【技術分野】
【０００１】
本発明は、アクティブノイズキャンセル型ヘッドホンに関する。
【背景技術】
【０００２】
従来、能動型ノイズ低減ヘッドセット（アクティブノイズキャンセル型ヘッドホン）として、音が放射される前側空洞と外部とが２つのポート（孔）によって連通されるとともに、前側空洞にマイクロフォン（マイク）が設けられたものが提案されている（例えば、特許文献１参照）。特許文献１に記載された従来の能動型ノイズ低減ヘッドセットでは、前側空洞を外部と連通することによって音響特性を改善するとともに、マイクロフォンによって音圧を測定することによってノイズをキャンセルするような音波を発生可能に構成されている。
【先行技術文献】
【特許文献】
【０００３】
【特許文献１】特開平１１−３０８６８５号公報
【発明の概要】
【発明が解決しようとする課題】
【０００４】
しかしながら、特許文献１に記載された従来の能動型ノイズ低減ヘッドセットでは、ノイズの低音域の成分については測定した音圧に基づいてキャンセルしやすいものの、中高音域の成分については、音圧を測定してからキャンセル用の音波を発するまでの間に位相が進んでしまいやすく、ノイズキャンセルが困難であった。【０００５】
したがって、本発明の課題は、ノイズを広範囲の音域で低減可能なアクティブノイズキャンセル型ヘッドホンを提供することが一例として挙げられる。
【課題を解決するための手段】
【０００６】
前述した課題を解決し目的を達成するために、請求項１に記載の本発明のアクティブノイズキャンセル型ヘッドホンは、マイクと、イヤカップと、を備え、前記イヤカップは、スピーカユニットと、前記スピーカユニットが位置する内部空間と、空気室と、を備え、前記内部空間は、前記空気室を介して外部に連通することを特徴としている。
【図面の簡単な説明】
【０００７】
【図１】本発明の実施例に係るアクティブノイズキャンセル型ヘッドホン全体を示す斜視図である。
【図２】前記アクティブノイズキャンセル型ヘッドホンのイヤカップを示す断面図である。
【図３】前記イヤカップを示す分解斜視図である。
【図４】前記アクティブノイズキャンセル型ヘッドホンの要部を拡大して示す斜視図である。
【発明を実施するための形態】
【０００８】
以下、本発明の実施形態を説明する。本発明の実施形態に係るアクティブノイズキャンセル型ヘッドホンは、マイクと、イヤカップと、を備え、イヤカップは、スピーカユニットと、スピーカユニットが位置する内部空間と、空気室と、を備え、内部空間は、空気室を介して外部に連通する。
【０００９】
アクティブノイズキャンセル型ヘッドホンがマイクを備えることで、ノイズの低音域の成分を集音してキャンセルすることができる。尚、マイクは、スピーカユニットの音放射側からの音波を集音可能なフィードバック式のノイズキャンセル用マイクであってもよいし、外部における音波を集音可能なフィードフォワード式のノイズキャンセル用マイクであってもよい。内部空間が空気室を介して外部に連通することで、外部から内部空間までノイズが侵入する際に、中高音域の成分が特に減衰しやすく、ノイズの中高音域の成分を低減することができる。即ち、マイクによってノイズの低音域の成分をキャンセルするとともに空気室によってノイズの中高音域の成分を低減し、ノイズを広範囲の音域で低減することができる。
【００１０】
マイクは、スピーカユニットの音放射側からの音波を集音可能に配置されても構わない。それにより、スピーカユニットの音放射側において実際に発生したノイズをキャンセルするような音波を発生することができ、外部のノイズを集音する構成と比較して、より効果的にノイズをキャンセルすることができる。
【００１１】
マイクはスピーカユニットの音放射側からの音波を集音可能な第１マイクであり、外部の音波を集音可能な第２マイクを備えていても構わない。それにより、外部のノイズを第２マイクによって集音することで、ノイズに対するキャンセル用の音波の遅れを抑制することができる。さらに、スピーカユニットの音放射側からのノイズを第１マイクによって集音することで、前述のように効果的にノイズをキャンセルすることができる。また、空気室が形成されていることで、スピーカユニットが放射した音波を外部に漏れにくくし、漏れた音波を第２マイクが集音してしまうことを抑制することができる。従って、スピーカユニットによる再生用の音声やキャンセル用の音波をノイズとして集音してしまうことを抑制することができる。
【００１２】
イヤカップには、内部空間と空気室とを連通する内孔と、空気室と外部とを連通する外孔と、が形成され、内孔と外孔とは、互いに対向しない位置に配置されていることが好ましい。それにより、外孔を通過して空気室に侵入したノイズを内部空間に直接侵入しにくくし、空気室内でノイズを減衰させやすくすることができる。さらに、内孔と外孔とを大きく形成したり数を増やしたりしてもノイズを減衰させやすく、スピーカユニットの振動板を振動させやすくしてアクティブノイズキャンセル型ヘッドホンの音響特性を向上させることができる。また、フィードフォワード式のマイクが設けられる場合、スピーカユニットが放射した音波を外部に漏れにくくし、スピーカユニットによる再生用の音声やキャンセル用の音波をノイズとして集音してしまうことを抑制することができる。
【００１３】
外孔には、外孔よりも開口寸法の小さい複数の小孔が形成された部材が設けられていることが好ましい。それにより、音波が小孔を通過して減衰しやすくなり、外部から侵入するノイズや外部に漏れる再生用の音声を低減することができる。また、この複数の小孔が形成された部材は、通過する空気を制動しても構わない。それにより、音波がこの部材を通過する際に音圧が減衰しやすくなり、外部から侵入するノイズや外部に漏れる再生用の音声を低減することができる。
【００１４】
第２マイクは、イヤカップの内側に収容され、イヤカップには、第２マイクが外部の音波を集音するための第２マイク孔が形成され、空気室と外部とを連通する外孔の向きと、第２マイク孔の向きと、が成す角度は、９０°以上かつ１８０°以下であっても構わない。また、外孔を通過可能な音波の進行方向と、第２マイク孔を通過可能な音波の進行方向と、が成す角度は、９０°以上かつ１８０°以下であっても構わない。それにより、スピーカユニットから放射された音波が外孔を通過して外部に漏れた際に、この音波が第２マイク孔に向かいにくくすることができ、スピーカユニットによる再生用の音声やキャンセル用の音波を第２マイクによってノイズとして集音しにくくすることができる。尚、孔の向きとは、孔が形成された面に交差する方向を意味する。また、所定の厚さを有する部材に孔が形成される場合には、この部材内において孔が延びる方向を孔の向きとする。
【００１５】
イヤカップのうち内部空間を囲む壁部には、通過する空気を制動する、又は、音波が進行する際に抵抗となる制動部材が設けられていても構わない。それにより、内部空間に侵入したノイズの進行を制動部材によって妨げたり、吸収したり減衰したりすることができる。また、このような制動部材は、スピーカユニットの後方側（音放射側の反対側）から放射された音波を吸収する吸音材であっても構わない。
【００１６】
イヤカップには、外孔を第１外孔として、空気室と外部とを連通する第２外孔がさらに形成され、第２マイク孔は、第１外孔と第２外孔との間に配置されていることが好ましい。また、第２マイク孔は、これらの外孔を通過して外部に漏れた音波のうち所定の波長を有するもの同士が逆位相となって互いに打ち消し合うような位置に配置されていても構わない。それにより、スピーカユニットによる再生用の音声やキャンセル用の音波を第２マイクによってノイズとして集音しにくくすることができる。
【００１７】
イヤカップには、空気室を第１空気室として、内部空間を外部に連通する第２空気室がさらに形成されるとともに、第２空気室を外部と連通する外孔が形成され、第２マイク孔は、第１空気室の外孔と第２空気室の外孔との間に配置されていることが好ましい。また、第２マイク孔は、前述のようにこれらの外孔を通過して外部に漏れた音波が打ち消し合うような位置に配置されていることがより好ましい。それにより、スピーカユニットによる再生用の音声やキャンセル用の音波を第２マイクによってノイズとして集音しにくくすることができる。
【実施例】
【００１８】
以下、本発明の実施例について具体的に説明する。図１は、本発明の実施例に係るアクティブノイズキャンセル型ヘッドホン１全体を示す斜視図であり、図２は、アクティブノイズキャンセル型ヘッドホン１のイヤカップ２Ａを示す断面図であり、図３は、イヤカップ２Ａを示す分解斜視図であり、図４は、アクティブノイズキャンセル型ヘッドホン１の要部を拡大して示す斜視図である。本実施例において、アクティブノイズキャンセル型ヘッドホン１は、図１の紙面奥側を前方側とするとともに手前側を後方側として装着者に装着され、イヤカップ２Ａ、２Ｂの装着者側を音放射側とし、その反対側を外側と呼ぶ。また、上下左右は図１に示す通りとする。【００１９】
アクティブノイズキャンセル型ヘッドホン１は、左右一対のイヤカップ２Ａ、２Ｂと、一対のイヤカップ２Ａ、２Ｂを連結するヘッドバンド３と、を備えたコードレス型のヘッドホンであって、再生機器に接続された送信機から無線で送信された信号を受信し、その信号に応じた音を放射するように構成されている。尚、アクティブノイズキャンセル型ヘッドホン１は、コードレス型のものに限定されず、信号送信および電力供給のためのコード部材が接続されていてもよい。【００２０】
右耳用のイヤカップ２Ａと左耳用のイヤカップ２Ｂとは、図２、３にも示すように、クッション２１と、図示しないスピーカユニットと、スピーカユニットを収容するハウジング２２と、第１マイク２３と、第２マイク２４と、備える。右耳用のイヤカップ２Ａと左耳用のイヤカップ２Ｂとは互いに略対称な構成を有しており、以下、右耳用のイヤカップ２Ａについて説明する。【００２１】
クッション２１は、スポンジ等のクッション部材が合成皮革等の被覆部材で覆われて円環状に形成され、ハウジング２２の装着者側（音放射側）に取り付けられる。クッション２１は、音放射側の面を当接面２１１として装着者の側頭部や耳に当接可能に構成されている。クッション２１には、円環状の内周面２１ａに形成された第１マイク孔ＭＨ１と、第１マイク孔ＭＨ１に連続するとともに第１マイク２３を収容可能な凹部２１２が形成されている。【００２２】
ハウジング２２は、例えば樹脂によって形成され、ハウジング本体２２１と、ハウジング本体２２１の音放射側に設けられる音放射側蓋部２２２と、ハウジング本体２２１の外側に設けられる外側蓋部２２３と、を有する。ハウジング２２には、音放射側蓋部２２２に隣接する位置に、近接センサ４が収容されている。また、ハウジング２２における最も外側の面２２４には、タッチパネル５が設けられている。【００２３】
近接センサ４は、装着者の側頭部や耳を対象物として検知可能な静電容量型のセンサであって、検知可能距離の範囲内に対象物が存在すると、その静電容量によって対象物を検知する。より具体的には、測定する静電容量に所定の閾値を設定し、測定した静電容量がこの閾値以上となった場合には、ヘッドホン１が装着者に装着されたと判定する。一方、測定した静電容量がこの閾値を下回った場合には、ヘッドホン１が装着者に装着されていないと判定する。この検知可能距離は、必要に応じて適宜に変更することができる。アクティブノイズキャンセル型ヘッドホン１は、イヤカップ２Ａが近接センサ４によって対象物を検知すると、スピーカユニットから音波が放射されるようになっている。【００２４】
タッチパネル５は、例えば、感圧式や静電容量型のタッチパネルであって、指によって操作可能に構成され、スピーカユニットの音量を調節したり、再生する音声や楽曲を選択したり、再生機器の電源をオンオフしたりし、アクティブノイズキャンセル型ヘッドホン１の機能の調節や、再生機器の操作が可能に構成されている。本実施例のタッチパネル５は静電容量型であって、少なくとも２枚のガラス基板５１と、２枚のガラス基板５１の界面に設けられた電極部５２と、を有している。この電極部５２は、タッチパネル５全体に設けられ、外側から見て近接センサ４が隠れるような寸法および配置を有し、近接センサ４を外側から覆っている。【００２５】
ハウジング本体２２１は、円筒状の外周壁２２１ａと、外周壁２２１ａの内側に沿って形成された２つの内壁２２１ｂと、外周壁２２１ａと内壁２２１ｂとを接続する接続壁２２１ｃと、外周壁２２１ａの内側に第２マイク２４を収容可能な空間を形成する収容壁部２２１ｄと、を有する。ハウジング本体２２１のうち最も内側に沿った壁部と外側蓋部２２３とクッション２１との内側に内部空間Ｓ１が形成され、この内部空間Ｓ１にスピーカユニットが収容される。【００２６】
外周壁２２１ａには、内壁２２１ｂに対向する位置においてそれぞれ複数（本実施形態では３）の外孔Ｈ１が形成され、後述する空気室Ｓ２と外部とが連通されている。尚、外孔Ｈ１の数は、任意に設定されていればよい。また、外周壁２２１ａには、収容壁部２２１ｄによって区画された空間に連通する第２マイク孔ＭＨ２が形成されている。【００２７】
内壁２２１ｂは、音放射側において外周壁２２１ａと一体に形成されるとともに、音放射側の反対側に向かうにしたがって外周壁２２１ａから離れるように延びている。ハウジング本体２２１に外側蓋部２２３が取り付けられることによって、外周壁２２１ａと内壁２２１ｂと接続壁２２１ｃと外側蓋部２２３との間に、内壁２２１ｂおよび接続壁２２１ｃによって内部空間Ｓ１と区画された２つの空気室Ｓ２が形成される。２つの空気室Ｓ２のうち、図３における左側の空気室を第１空気室Ｓ２１とし、右側の空気室を第２空気室Ｓ２２とする。内壁２２１ｂには、それぞれ複数（本実施形態では４）の内孔Ｈ２が形成され、内部空間Ｓ１と空気室Ｓ２とが連通されている。尚、内孔Ｈ２の数は、任意に設定されていればよい。従って、内部空間Ｓ１は、空気室を介して外部に連通されている。【００２８】
収容壁２２１ｄは、ハウジング本体２２１に外側蓋部２２３が取り付けられることによって、収容壁２２１ｄによって内部空間Ｓ１と区画された空間が形成され、この空間に第２マイク２４が収容される。【００２９】
第１マイク２３および第２マイク２４は、例えばコンデンサ型のマイクであって、集音した情報をスピーカユニットに送信可能に構成されている。第１マイク２３はフィードバック式のノイズキャンセル用のマイクであって、内部空間Ｓ１におけるスピーカユニットの音放射側からの音波のうち第１マイク孔ＭＨ１を通過したものを集音するように構成され、第２マイク２４はフィードフォワード式のノイズキャンセル用マイクであって、外部の音波のうち第２マイク孔ＭＨ２を通過したものを集音するように構成されている。尚、第１マイク２３及び第２マイク２４はコンデンサ型に限定されず、適宜な集音方式で動作するものであればよい。【００３０】
スピーカユニットは、まず、再生機器から受信した再生用の音声信号と、第２マイク２４が集音した音波の逆位相の音波と、を合成した音波を前方側（音放射側）に放射する。このように放射された音波が第１マイク２３によって集音され、この音波と再生用の音声信号とを比較することで発生したノイズが求められる。スピーカユニットは、発生したノイズの逆位相をさらに合成した音波を放射するように構成されている。即ち、スピーカユニットは、フィードフォワード式の第２マイク２４を用いてノイズを事前にキャンセルしようとするとともに、フィードバック式の第１マイク２３を用いて発生したノイズを事後的にキャンセルするように構成されている。また、スピーカユニットの後方側（音放射側の反対側）から放射された音波は、外周壁２２１ａに形成された内孔Ｈ２を通過することができ、アクティブノイズキャンセル型ヘッドホン１の音響特性（特に、低音域における特性）が向上するようになっている。【００３１】
ヘッドバンド３は、例えば樹脂によって前方又は後方から見て円弧状に形成され、装着者の頭部の大きさに合わせて撓み変形可能に構成されている。また、ヘッドバンド３は、装着者の頭頂部近傍に載置されるように構成されている。【００３２】
次に、外孔Ｈ１、内孔Ｈ２、第１マイク孔ＭＨ１、及び、第２マイク孔ＭＨ２の位置や方向等の詳細について説明する。【００３３】
外孔Ｈ１は、図４に示すように、ヘッドバンド３の近傍において外部に開口している。また、外孔Ｈ１は、円筒状のハウジング本体２２１の外周壁２２１ａに対して略垂直に延びていることで、外周壁２２１ａに略垂直な方向に進行する音波（図３に二点鎖線で示す）が通過するようになっている。尚、外孔Ｈ１は、外周壁２２１ａに対する垂直方向から傾斜して延びていてもよい。【００３４】
内孔Ｈ２は、外孔Ｈ１と周方向に異なる位置に配置されることで、外孔Ｈ１と対向しない位置に形成されている。また、内孔Ｈ２は、ハウジング本体２２１の内壁２２１ｂに対して略垂直に延びていることで、内壁２２１ｂに略垂直な方向に進行する音波（図３に二点鎖線で示す）が通過するようになっている。従って、外部から外孔Ｈ１を通過して空気室Ｓ２に侵入した音波は、直接内孔Ｈ２を通過しないようになっている。同様に、内部空間Ｓ１から内孔Ｈ２を通過して空気室Ｓ２に侵入した音波は、直接外孔Ｈ１を通過しないようになっている。尚、内孔Ｈ２は、内壁２２１ｂに対する垂直方向から傾斜して延びていてもよい。【００３５】
第１マイク孔ＭＨ１は、スピーカユニットから装着者に向かう音波の進行方向と略直交する方向に沿って延びている。従って、スピーカユニットによって放射された音波は第１マイク２３によって集音されにくく、音放射側から侵入する外部音を第１マイク２３によって集音することができるようになっている。【００３６】
第２マイク孔ＭＨ２は、円筒状のハウジング本体２２１の外周壁２２１ａに対して略垂直に延びていることで、外周壁２２１ａに略垂直な方向に進行する音波（図３に二点鎖線で示す）が通過するようになっている。また、第２マイク孔ＭＨ２は、外周壁２２１ａにおいて、第１空気室Ｓ２１の外孔Ｈ１と、第２空気室Ｓ２２の外孔Ｈ１と、の間に設けられている。尚、第２マイク孔ＭＨ２は、外周壁２２１ａに対する垂直方向から傾斜して延びていてもよい。【００３７】
第１空気室Ｓ２１の外孔Ｈ１のうち中間にある外孔から第２マイク孔ＭＨ２まで外周壁２２１ａに沿って図３における反時計回りに進む際の長さと、第２空気室Ｓ２２の外孔Ｈ１のうち中間にある外孔から第２マイク孔ＭＨ２まで外周壁２２１ａに沿って時計回りに進む際の長さと、の差は、特に低減したいノイズの波長の半分の奇数倍（例えば１倍）となっていて構わない。２つの空気室Ｓ２１、Ｓ２２からそれぞれ略同位相の音波が外孔Ｈ１を通過して外部に漏れるとともに、外周壁２２１ａの外側に沿って進行した場合に、特に低減したいノイズの波長を有する成分は、第２マイク孔ＭＨ２近傍において互いに逆位相となって打ち消し合う。【００３８】
左側の３つの外孔Ｈ１を通過可能な音波の進行方向と、第２マイク孔ＭＨ２を通過可能な音波の進行方向と、が成す角度をθ１とし、右側の３つの外孔Ｈ１を通過可能な音波の進行方向と、第２マイク孔ＭＨ２を通過可能な音波の進行方向と、が成す角度をθ２とした際に、θ１及びθ２は、９０°以上かつ１８０°となる（例えば、θ１が１００°、θ２が１７０°）。即ち、外孔Ｈ１の向きと、第２マイク孔ＭＨ２の向きと、が成す角度は、これらのθ１、θ２に等しく、９０°以上かつ１８０°となる。【００３９】
上記の構成により、イヤカップ２Ａ、２Ｂに第１マイク２３及び第２マイク２４が設けられていることで、ノイズの低音域の成分を集音してキャンセルすることができる。さらに、内部空間Ｓ１が空気室Ｓ２を介して外部に連通されていることで、外部から内部空間Ｓ１までノイズが侵入する際に、中高音域の成分が特に減衰しやすく、ノイズの中高音域の成分を低減することができる。即ち、第１マイク２３及び第２マイク２４によってノイズの低音域の成分をキャンセルするとともに空気室Ｓ２によってノイズの中高音域の成分を低減し、ノイズを広範囲の音域で低減することができる。【００４０】
また、イヤカップ２Ａ、２Ｂにフィードフォワード式の第２マイク２４が設けられていることで、外部のノイズを第２マイク２４によって集音し、ノイズに対するキャンセル用の音波の遅れを抑制することができる。さらに、イヤカップ２Ａ、２Ｂにフィードバック式の第１マイク２３が設けられていることで、スピーカユニットの音放射側におけるノイズを集音して効果的にノイズをキャンセルすることができる。また、イヤカップ２Ａ、２Ｂに空気室Ｓ２が形成されていることで、スピーカユニットが放射した音波を外部に漏れにくくし、漏れた音波を第２マイク２４が集音してしまうことを抑制することができる。従って、スピーカユニットによる再生用の音声やキャンセル用の音波をノイズとして集音してしまうことを抑制することができる。【００４１】
また、外部から外孔Ｈ１を通過して空気室Ｓ２に侵入した音波が直接内孔Ｈ２を通過しないようになっていることで、空気室Ｓ２内でノイズを減衰させやすくすることができる。さらに、内孔Ｈ２と外孔Ｈ１とを大きく形成したり数を増やしたりしてもノイズを減衰させやすく、スピーカユニットの振動板を振動させやすくしてアクティブノイズキャンセル型ヘッドホンの音響特性を向上させることができる。【００４２】
また、外孔Ｈ１の向きと、第２マイク孔ＭＨ２の向きと、が成すが９０°以上かつ１８０°以下であることで、スピーカユニットが放射した音波が内孔Ｈ２及び外孔Ｈ１を通過して外部に漏れた際に、この音波を第２マイク孔ＭＨ２に向かいにくくすることができ、スピーカユニットによる再生用の音声やキャンセル用の音波をノイズとして集音しにくくすることができる。【００４３】
また、２つの空気室Ｓ２１、Ｓ２２のそれぞれに対応した外孔Ｈ１から外部に漏れた音波が第２マイク孔ＭＨ２に到達した際に、低減したい波長の成分が互いに逆位相となるように、外孔Ｈ１及び第２マイク孔ＭＨ２が配置されていることで、スピーカユニットによる再生用の音声やキャンセル用の音波を第２マイクによってノイズとして集音しにくくすることができる。【００４４】
なお、本発明は、前記実施例に限定されるものではなく、本発明の目的が達成できる他の構成等を含み、以下に示すような変形等も本発明に含まれる。【００４５】
例えば、前記実施例では、イヤカップ２Ａ、２Ｂにフィードバック式の第１マイク２３及びフィードフォワード式の第２マイク２４が設けられるものとしたが、例えば空気室Ｓ２におけるノイズの低減効果に応じて、イヤカップ２Ａ、２Ｂに第１マイク２３と第２マイク２４とのうち一方が設けられる構成であってもよい。【００４６】
また、前記実施例では、外孔Ｈ１と内孔Ｈ２とが互いに対向しない位置に配置されるものとしたが、これらの孔のうち一方を通過した音波が他方を直接通過しにくいように構成されていればよく、例えば、外孔や内孔が形成される部材が充分な厚さを有するとともに、外孔を通過可能な音波の進行方向と内孔を通過可能な音波の進行方向とが互いに交差していれば（即ち、内孔の向きと外孔の向きとが交差していれば）、外孔と内孔とが互いに対向する位置に配置されていてもよい。【００４７】
また、前記実施例では、外孔Ｈ１と内孔Ｈ２とがイヤカップ２Ａの周方向に異なる位置に配置されることで互いに対向しないものとしたが、外孔と内孔とは、イヤカップ２Ａの厚さ方向（図２における上下方向）において異なる位置に配置されることで互いに対向しなくてもよいし、周方向及び厚さ方向において異なる位置に配置されていてもよい。また、前記実施例のように外孔及び内孔が複数形成される場合には、全ての外孔と内孔とが互いに対向しない位置に配置されていてもよいし、一部の外孔と内孔とが互いに対向する位置に配置されていてもよい。【００４８】
また、前記実施例では、外孔Ｈ１を通過可能な音波の進行方向と、第２マイク孔ＭＨ２を通過可能な音波の進行方向と、が成す角度θ１及びθ２が９０°以上かつ１８０°以下であるものとしたが、スピーカユニットの後方側から放射された音波が充分に外部に漏れにくい構成であれば、外孔Ｈ１を通過可能な音波の進行方向と、第２マイク孔ＭＨ２を通過可能な音波の進行方向と、が成す角度は任意の値であればよい。【００４９】
また、前記実施例では、２つの空気室Ｓ２が形成され、それぞれに対応した外孔Ｈ１の間に第２マイク孔ＭＨ２が形成されるものとしたが、スピーカユニットから放射された音波が充分に外部に漏れにくい構成であれば、第２マイク孔ＭＨ２は、外孔Ｈ１に対して任意の位置に配置されていればよい。また、空気室Ｓ２は、少なくとも１つ形成されていればよい。【００５０】
また、前記実施例では、ハウジング本体２２１の外周壁２２１ａに外孔Ｈ１が形成されるものとしたが、この外孔Ｈ１には、外孔Ｈ１よりも小さい開口寸法を有する複数の小孔が形成された部材がさらに設けられてもよい。この部材は、例えば布部材や不織布であって、外孔Ｈ１を充填するように設けられてもよいし、少なくとも一方側から塞ぐように設けられてもよい。このような構成によれば、外部から侵入するノイズや外部に漏れる再生用の音声を低減することができる。また、この複数の小孔が形成された部材は、通過する空気を制動しても構わない。それにより、音波がこの部材を通過する際に音圧が減衰しやすくなり、外部から侵入するノイズや外部に漏れる再生用の音声を低減することができる。【００５１】
また、イヤカップ２Ａ、２Ｂのうち内部空間Ｓ１を囲む壁部（例えば、ハウジング本体２２１の外周壁２２１ａの内面）には、音波が進行する際に抵抗となる制動部材がさらに設けられてもよい。制動部材は、例えばガラスウールやフェルト等の吸音材であればよく、壁部の少なくとも一部に設けられていればよい。このような構成によれば、内部空間Ｓ１に侵入したノイズの進行を制動部材によって妨げることができる。また、このような制動部材は、スピーカユニットの後方側（音放射側の反対側）から放射された音波を吸収することができる。【００５２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５３】
１          アクティブノイズキャンセル型ヘッドホン
２Ａ、２Ｂ  イヤカップ
２３        第１マイク
２４        第２マイク
Ｈ１        外孔
Ｈ２        内孔
ＭＨ１      第１マイク孔
ＭＨ２      第２マイク孔
Ｓ１        内部空間
Ｓ２        空気室
【図１】
2016084132.tif 000003
【図２】
2016084132.tif 000004
【図３】
2016084132.tif 000005
【図４】
2016084132.tif 000006
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
マイクと、イヤカップと、を備え、
前記イヤカップは、スピーカユニットと、前記スピーカユニットが位置する内部空間と、空気室と、を備え、
前記内部空間は、前記空気室を介して外部に連通し、
前記マイクは前記スピーカユニットの音放射側からの音波を集音可能な第１マイクであり、
外部の音波を集音可能な第２マイクを備え、
前記第２マイクは、前記イヤカップの内側に収容され、
前記イヤカップには、前記第２マイクが外部の音波を集音するための第２マイク孔が形成され、
前記空気室と外部とを連通する外孔の向きと、前記第２マイク孔の向きと、が成す角度は、９０°以上かつ１８０°以下であることを特徴とするアクティブノイズキャンセル型ヘッドホン。
【請求項２】
前記マイクは、前記スピーカユニットの音放射側からの音波を集音可能であることを特徴とする請求項１に記載のアクティブノイズキャンセル型ヘッドホン。
【請求項３】
前記イヤカップには、前記内部空間と前記空気室とを連通する内孔と、前記空気室と外部とを連通する外孔と、が形成され、
前記内孔と前記外孔とは、互いに対向しない位置に配置されていることを特徴とする請求項１に記載のアクティブノイズキャンセル型ヘッドホン。
【請求項４】
前記外孔には、当該外孔よりも開口寸法の小さい複数の小孔が形成された部材が設けられていることを特徴とする請求項３に記載のアクティブノイズキャンセル型ヘッドホン。
【請求項５】
前記イヤカップのうち前記内部空間を囲む壁部には、通過する空気を制動する制動部材が設けられていることを特徴とする請求項１に記載のアクティブノイズキャンセル型ヘッドホン。
【請求項６】
前記イヤカップには、前記外孔を第１外孔として、前記空気室と外部とを連通する第２外孔がさらに形成され、
前記第２マイク孔は、前記第１外孔と前記第２外孔との間に配置されていることを特徴とする請求項１に記載のアクティブノイズキャンセル型ヘッドホン。
【請求項７】
前記イヤカップには、前記空気室を第１空気室として、前記内部空間を外部に連通する第２空気室がさらに形成されるとともに、当該第２空気室を外部と連通する外孔が形成され、
前記第２マイク孔は、前記第１空気室の外孔と前記第２空気室の外孔との間に配置されていることを特徴とする請求項１に記載のアクティブノイズキャンセル型ヘッドホン。
【手続補正２】
【補正対象書類名】明細書
【補正対象項目名】０００６
【補正方法】変更
【補正の内容】
【０００６】
前述した課題を解決し目的を達成するために、請求項１に記載の本発明のアクティブノイズキャンセル型ヘッドホンは、  マイクと、イヤカップと、を備え、
前記イヤカップは、スピーカユニットと、前記スピーカユニットが位置する内部空間と、空気室と、を備え、前記内部空間は、前記空気室を介して外部に連通し、前記マイクは前記スピーカユニットの音放射側からの音波を集音可能な第１マイクであり、外部の音波を集音可能な第２マイクを備え、前記第２マイクは、前記イヤカップの内側に収容され、前記イヤカップには、前記第２マイクが外部の音波を集音するための第２マイク孔が形成され、前記空気室と外部とを連通する外孔の向きと、前記第２マイク孔の向きと、が成す角度は、９０°以上かつ１８０°以下であることを特徴としている。
【国際調査報告】
2016084132.tif 000007
2016084132.tif 000008
2016084132.tif 000009
2016084132.tif 000010